(57)【要約】【課題】電子ビューファインダ（ＥＶＦ）の視認性を向上する。【解決手段】環境光が比較的明るい場合においては、ユーザの眼は明順応しているため、ユーザがＥＶＦへ接眼した直後は、ＥＶＦの表示輝度ＢＲを比較的高くする。その後、ＥＶＦの表示輝度ＢＲを目標値ＢＲ２まで漸次的に低下させていく。これにより、ユーザの眼を徐々にＥＶＦの表示に慣らすことができる。また、ユーザの眼とＥＶＦとの間に間隔がある場合は、ＥＶＦの表示が環境光の明るさの影響を受ける。このため、標準的な表示輝度ＢＲ０よりも高く目標値ＢＲ２を設定することにより、環境光の明るさの影響を適切に排除することができる。【選択図】　　　　図１４
2004140736.tif 000002
【特許請求の範囲】
【請求項１】
表示部に表示される画像を接眼レンズを介して視認可能にする電子ビューファインダを有する撮像装置であって、
前記電子ビューファインダに対するユーザの接眼／非接眼を検出する接眼検出手段と、
前記接眼検出手段が前記ユーザの接眼を検出してからの経過時間として接眼時間を計時する接眼計時手段と、
前記電子ビューファインダの表示特性値を、特定の初期値から特定の目標値まで、前記接眼時間に応じて漸次的に変化させる表示制御手段と、
を備えることを特徴とする撮像装置。
【請求項２】
請求項１に記載の撮像装置において、
環境光の特性を検出する環境光検出手段、
をさらに備え、
前記表示制御手段は、前記環境光の特性に基づいて、前記初期値を決定することを特徴とする撮像装置。
【請求項３】
請求項２に記載の撮像装置において、
前記電子ビューファインダから、前記電子ビューファインダに対して接眼したユーザまでの距離として接眼距離を検出する距離検出手段、
をさらに備え、
前記表示制御手段は、前記環境光の特性および前記接眼距離に基づいて、前記目標値を決定することを特徴とする撮像装置。
【請求項４】
表示部に表示される画像を接眼レンズを介して視認可能にする電子ビューファインダを有する撮像装置であって、
前記電子ビューファインダに対してユーザが接眼した接眼距離を検出する距離検出手段と、
前記接眼距離に基づいて、前記電子ビューファインダの表示特性値を決定する表示制御手段と、
を備えることを特徴とする撮像装置。
【請求項５】
請求項４に記載の撮像装置において、
環境光の特性を検出する環境光検出手段、
をさらに備え、
前記表示制御手段は、前記環境光の特性および前記接眼距離に基づいて、前記表示特性値を決定することを特徴とする撮像装置。
【発明の詳細な説明】
【０００１】
【発明の属する技術分野】
本発明は、表示部に表示される画像を接眼レンズを介して視認可能にする電子ビューファインダを有する撮像装置に関する。
【０００２】
【従来の技術】
従来より、デジタルカメラなどの撮像装置においては、フレーミングを行うためのファインダとして、比較的小さな表示パネルに表示される表示画像を接眼レンズを介して視認可能にする電子ビューファインダが採用されている。電子ビューファインダは、表示画像を電気的に表示するものであるため、その輝度などの表示特性値を比較的容易に変更することが可能である。
【０００３】
またところで、人間の眼は環境光の特性に対して順応する性質がある。したがって、例えば、環境光が比較的明るいときにユーザが電子ビューファインダに対して接眼すると、接眼後暫くの間は表示画像が暗く見えるという現象が生じる。
このことから従来より、環境光の明るさに応じて電子ビューファインダの輝度を変更する技術が提案されている（例えば、特許文献１参照。）。
【０００４】
その他、この出願に関連する先行技術文献情報として特許文献２がある。
【０００５】
【特許文献１】
特開２００１−３０９２１１号公報
【特許文献２】
特開２００１−３５２４６６号公報
【０００６】
【発明が解決しようとする課題】
ところで、電子ビューファインダに接眼した後においては、ユーザの眼は表示画像に対して順応することとなるが、従来の技術では接眼後のこのような順応現象が考慮されておらず、ユーザの眼への負担が生じていた。
【０００７】
また、眼鏡等を使用するユーザの場合、電子ビューファインダとユーザの眼との間に間隔があることから、接眼後においても環境光の特性の影響を受けることとなる。しかしながら、従来の技術ではこのような電子ビューファインダとユーザの眼との間の間隔に関しても考慮されていなかった。
【０００８】
そして、以上のようなことに起因して、電子ビューファインダの視認性に問題が生じていた。
【０００９】
本発明は、上記課題に鑑みてなされたものであり、電子ビューファインダの視認性を向上することができる撮像装置を提供することを目的とする。
【００１０】
【課題を解決するための手段】
上記課題を解決するため、請求項１の発明は、表示部に表示される画像を接眼レンズを介して視認可能にする電子ビューファインダを有する撮像装置であって、前記電子ビューファインダに対するユーザの接眼／非接眼を検出する接眼検出手段と、前記接眼検出手段が前記ユーザの接眼を検出してからの経過時間として接眼時間を計時する接眼計時手段と、前記電子ビューファインダの表示特性値を、特定の初期値から特定の目標値まで、前記接眼時間に応じて漸次的に変化させる表示制御手段と、を備えている。
【００１１】
また、請求項２の発明は、請求項１に記載の撮像装置において、環境光の特性を検出する環境光検出手段、をさらに備え、前記表示制御手段は、前記環境光の特性に基づいて、前記初期値を決定することを特徴とする。
【００１２】
また、請求項３の発明は、請求項２に記載の撮像装置において、前記電子ビューファインダから、前記電子ビューファインダに対して接眼したユーザまでの距離として接眼距離を検出する距離検出手段、をさらに備え、前記表示制御手段は、前記環境光の特性および前記接眼距離に基づいて、前記目標値を決定することを特徴とする。
【００１３】
また、請求項４の発明は、表示部に表示される画像を接眼レンズを介して視認可能にする電子ビューファインダを有する撮像装置であって、前記電子ビューファインダに対してユーザが接眼した接眼距離を検出する距離検出手段と、前記接眼距離に基づいて、前記電子ビューファインダの表示特性値を決定する表示制御手段と、を備えている。
【００１４】
また、請求項５の発明は、請求項４に記載の撮像装置において、環境光の特性を検出する環境光検出手段、をさらに備え、前記表示制御手段は、前記環境光の特性および前記接眼距離に基づいて、前記表示特性値を決定することを特徴とする。
【００１５】
【発明の実施の形態】
以下、図面を参照しつつ本発明の実施の形態について説明する。
【００１６】
＜１．第１の実施の形態＞
＜１−１．デジタルカメラの構成＞
図１および図２は、本発明の実施形態に係る撮像装置であるデジタルカメラ１の外観構成を示す図であり、図１は正面図、図２は背面図に相当する。
【００１７】
デジタルカメラ１の正面側には、被写体の光像を結像するための撮影レンズ２およびデジタルカメラ１を保持するためのグリップ部９が設けられる。このグリップ部９の上部には、シャッタボタン１１が設けられる。シャッタボタン１１は撮像に係る動作の開始を指示するための操作部材であり、半押し状態と全押し状態との２段階の押し込み操作を検知可能に構成される。シャッタボタン１１が半押しされた場合には、フォーカス制御などの撮像準備動作が開始され、全押しされた場合には、記録用の画像を取得する撮像動作（露光）が開始される。
【００１８】
シャッタボタン１１の上方には、電源のオン／オフを切り替えるとともに、「撮影モード」と「再生モード」との間で動作モードを切り替えるダイヤル式のメインスイッチ１４が設けられる。撮影モードは被写体の画像を取得して記録画像として記録する動作モードであり、再生モードは記録画像を再生表示する動作モードである。
【００１９】
グリップ部９の逆側の側面上方には、「画像サイズ」、「露出モード」および「ドライブモード」等の項目を設定するためのファンクションダイヤル１２が設けられている。ファンクションダイヤル１２によって所望の項目にセットした後、グリップ部９上部の選択ダイヤル１３を回転させることにより、セットされた項目の設定内容を順次変更することができる。
【００２０】
デジタルカメラ１の背面側には、被写体の画像のライブビュー表示、記録された画像の再生表示および設定画面の表示等を行うための表示装置として、電子ビューファインダ（以下、「ＥＶＦ」という。）２２および液晶ディスプレイ（以下、「ＬＣＤ」という。）２４が設けられている。ＥＶＦ２２は、上方に回動可能なチルト機構を有するファインダユニット２３内に設けられ、様々なアングルからの表示画像の視認が可能とされている。
【００２１】
図３は、ファインダユニット２３内のＥＶＦ２２を側面側（図２における右側）から見た場合の構成を示す概略図である。図に示すようにＥＶＦ２２は、比較的小さな液晶画面を有する表示パネル２２２と、表示パネル２２２の表示内容を拡大する接眼レンズ２２１とを備えている。ユーザ８は、ＥＶＦ２２に接眼する（接眼レンズ２２１に対して眼を至近距離とする）ことにより、表示パネル２２２に表示される表示画像を接眼レンズ２２１を介して視認することが可能となる。
【００２２】
一方、ＬＣＤ２４は比較的大きな液晶画面を有し、デジタルカメラ１背面の略中央部に設けられている。このため、ＥＶＦ２２にて表示画像を視認することが可能な距離と比較すると、ユーザはＬＣＤ２４に表示される表示画像を比較的遠距離から視認することができる。
【００２３】
ＥＶＦ２２とＬＣＤ２４とには同一内容の表示画像が表示されるが、省電力化を図るため、表示画像はＥＶＦ２２とＬＣＤ２４との双方同時には表示されず、いずれか一方のみに表示されるようになっている。いずれの表示装置に表示画像を表示するかは、ディスプレイ設定に基づいて決定される。
【００２４】
このディスプレイ設定は、ファインダユニット２３の右方に設けられるディスプレイ切り替えレバー１５（図２参照）を操作することで、「ＥＶＦモード」、「自動切替モード」および「ＬＣＤモード」の間で設定することができるようになっている。
【００２５】
ディスプレイ設定が「ＥＶＦモード」に設定された場合は、ＥＶＦ２２のみが常時表示状態となり、「ＬＣＤモード」に設定された場合は、ＬＣＤ２４のみが常時表示状態となる。また、ディスプレイ設定が「自動切替モード」に設定された場合は、ユーザがＥＶＦ２２に接眼しているときはＥＶＦ２２のみが表示状態となり、ユーザがＥＶＦ２２に接眼していない（非接眼の）ときはＬＣＤ２４のみが表示状態となるように、表示装置の表示切替が自動的になされる。
【００２６】
このような表示装置の表示切替は、ファインダユニット２３内のＥＶＦ２２の近傍（図２における右側近傍）に設けられる接眼センサ２１の出力に基づいて行われる。
【００２７】
図４は、ファインダユニット２３内の接眼センサ２１を側面側（図３における右側）から見た場合の構成を示す概略図である。図に示すように、接眼センサ２１は、主として測距用の光を投光する投光部２１ａと、ユーザ８からの反射光を受光する受光部２１ｂとから構成される。この接眼センサ２１は、ファインダユニット２３内にＥＶＦ２２とともに設けられているため、ファインダユニット２３が回動した状態であっても、ＥＶＦ２２の接眼レンズ２２１の対向方向に位置するユーザ８を、常に測距対象とすることができるようになっている。
【００２８】
接眼センサ２１の投光部２１ａは、投光レンズ２１１と、赤外発光ダイオード等で構成される投光素子２１２と、投光素子２１２を駆動する投光回路２１３とを備えている。一方、接眼センサ２１の受光部２１ｂは、受光レンズ２１４と、赤外フォトダイオード等で構成される受光素子２１５と、受光素子２１５からの信号を処理する受光回路２１６とを備えている。
【００２９】
ディスプレイ設定が「自動切替モード」に設定されると、投光回路２１３により投光素子２１２が駆動され、投光素子２１２からユーザ８に向けて投光レンズ２１１を介して測距用の光が常時投光される状態となる。ユーザ８が存在した場合は、投光された測距用の光がユーザ８によって反射され、受光レンズ２１４を介して受光素子２１５に受光される。そして、この受光素子２１５の受光量が信号として出力され受光回路２１６により処理される。
【００３０】
図５は、接眼センサ２１からユーザ８までの距離（以下、「ユーザ距離」という。）と、接眼センサ２１の受光素子２１５における受光量との関係を示す図であり、横軸はユーザ距離、縦軸は受光量を示している。図に示すように、受光量はユーザ距離に応じて変化し、ユーザ８が近距離に位置しているほど受光量は多くなり、逆に、ユーザ８が遠距離に位置しているほど受光量は比較的少なくなる。したがって、このような受光量とユーザ距離との関係を示すテーブルなどを参照して、受光素子２１５の受光量を受光回路２１６が処理することで、ユーザ距離が導出される。導出されたユーザ距離は、受光回路２１６から後述する全体制御部４（図６参照）に信号として出力される。
【００３１】
この全体制御部４により、ユーザ距離が所定の距離ＴＤＴより小さいとき（受光された受光量が所定の受光量ＰＤＴよりも大きいとき）はユーザ８が接眼していると判定され、逆に、ユーザ距離が所定の距離ＴＤＴより大きいとき（受光された受光量が所定の受光量ＰＤＴよりも小さいとき）はユーザ８が接眼していない（非接眼）と判定される。ディスプレイ設定が「自動切替モード」に設定されたときは、この接眼／非接眼の判定結果に基づいて表示装置の表示切替がなされることとなる。
【００３２】
図２に戻り、ＬＣＤ２４の右方にはメニューボタン１８および十字キー１７が設けられる。十字キー１７は上スイッチ１７Ｕ、下スイッチ１７Ｄ、左スイッチ１７Ｌおよび右スイッチ１７Ｒからなる４連スイッチ、ならびに、その中央の決定ボタン１７Ｃから構成される。メニューボタン１８を押下するとＬＣＤ２４に設定メニューが表示され、設定メニューを参照しつつ十字キー１７を操作することによって、デジタルカメラ１の各種の設定を行うことができる。
【００３３】
また、デジタルカメラ１の内部にはカードスロット２９が設けられ、デジタルカメラ１の側面から記録媒体であるメモリカード９１を挿入して装着できる。撮影モードにおいて取得された画像はメモリカード９１に記録される。
【００３４】
デジタルカメラ１の各種の動作制御は、内部に設けられる全体制御部４によって実現される。図６は、全体制御部４を含む、デジタルカメラ１の主たる内部構成を機能ブロックとして示す図である。
【００３５】
図６に示す構成のうち、ＣＣＤ３１、信号処理部３２、Ａ／Ｄ変換部３３、画像処理部３４、および、画像メモリ３５等は画像を取得する機能を実現する。
【００３６】
ＣＣＤ３１は、マトリクス状に配列された複数の画素からなる撮像素子であり、撮影レンズ２により結像された被写体の光像を画像信号に光電変換する。ＣＣＤ３１の撮像面はベイヤー配列で各色成分に対応づけられた画素配列となっており、各画素がベイヤー配列に対応するＲ（赤），Ｇ（緑），Ｂ（青）のうちの１色についての値を検出するように構成される。
【００３７】
信号処理部３２は、ＣＤＳ（相関二重サンプリング）回路およびＡＧＣ（オートゲインコントロール）回路等をその内部に有し、ＣＣＤ３１から出力される画像信号（アナログ信号）に所定の信号処理を施す。具体的には、ＣＤＳ回路により画像信号のノイズの低減が行われ、ＡＧＣ回路により画像信号のレベル調整が行われる。
【００３８】
Ａ／Ｄ変換部３３は、信号処理部３２から出力される各画素ごとのアナログの画像信号を例えば１２ビットのデジタル信号に変換する。デジタル信号に変換された画像は、画像処理部３４に入力されるとともに、全体制御部４にも入力され、露出制御やフォーカス制御に用いられる。
【００３９】
画像処理部３４は、画像に対して各種の画像処理を行う専用のチップで構成される。例えば、黒レベル補正、ホワイトバランス補正およびγ補正等の各種補正処理、ベイヤー形式の画像の各画素がＲＧＢ全ての色成分についてのデータを有するように画素値を補間する補間処理、ならびに、解像度を変換する解像度変換処理などが行われる。ホワイトバランス補正にあたっては、画像中の被写体の色の傾向に基づいて環境光の色温度が全体制御部４により導出される。そして、導出された環境光の色温度に基づいて画像処理部３４において画像に対するホワイトバランス補正がなされることとなる。画像処理部３４にて処理が行われた画像は、画像を一時的に記憶するバッファメモリである画像メモリ３５に格納される。
【００４０】
デジタルカメラ１の撮影待機状態では、所定時間ごとにＣＣＤ３１によりライブビュー表示用の画像が取得される。この画像は、信号処理部３２、Ａ／Ｄ変換部３３および画像処理部３４にて所定の処理が施されてライブビュー画像とされた後、画像メモリ３５に格納される。画像メモリ３５に格納されたライブビュー画像は全体制御部４により所定の周期で読み出され、ビデオ信号に変換されてＥＶＦ２２あるいはＬＣＤ２４に送出される。これにより、ＥＶＦ２２あるいはＬＣＤ２４に被写体像がライブビュー表示として表示される。
【００４１】
一方、シャッタボタン１１による撮影指示の後、ＣＣＤ２１にて取得された記録用の画像は、同様に、信号処理部３２、Ａ／Ｄ変換部３３および画像処理部３４にて所定の処理が施されて画像メモリ３５に格納される。画像メモリ３５に格納された画像は、ＪＰＥＧ方式等による圧縮処理が施されて圧縮画像とされた後、メモリカード９１に記録される。
【００４２】
レンズ駆動部３６は、全体制御部４から入力される信号に基づいて、撮影レンズ２の内部に含まれる部材、例えば、被写体像の合焦状態を調節するレンズ群や入射光量を調節する絞り等の駆動を行う。
【００４３】
操作部材１０は、上述したシャッタボタン１１、ファンクションダイヤル１２、ディスプレイ切り替えレバー１５および十字キー１７等を一の機能ブロックとして示したものである。操作部材１０の操作内容は信号として全体制御部４に入力される。タイマ３７は、時間を計時する計時回路であり、計時された時間は全体制御部４に入力される。
【００４４】
また、上述した接眼センサ２１、ＥＶＦ２２およびＬＣＤ２４は、全体制御部４に電気的に接続されている。これにより、ユーザ距離を示す接眼センサ２１からの信号が全体制御部４に入力されるとともに、ＥＶＦ２１およびＬＣＤ２４は全体制御部４により制御される。
【００４５】
全体制御部４は、マイクロコンピュータを備えて構成される。すなわち、全体制御部４は、各種演算処理を行うＣＰＵ４１と、演算を行うための作業領域となるＲＡＭ４２と、制御プログラム等が記憶されるＲＯＭ４３とを備え、上述したようなデジタルカメラ１の各部の動作を統括的に制御する。
【００４６】
全体制御部４の各種の機能は、予めＲＯＭ４３内に記憶される制御プログラムに従ってＣＰＵ４１が演算処理を行うことにより実現される。なお、ＲＯＭ４３はＥＥＰＲＯＭなどの追記が可能な不揮発性メモリで構成されており、メモリカード９１からの読出などにより、新たな制御プログラムをＲＯＭ４３に格納（インストール）することも可能とされている。図６において露出制御部４５、ＡＦ制御部４６および表示制御部４７は、制御プログラムに従ってＣＰＵ４１が演算動作を行うことにより実現される機能の一部を機能ブロックとして模式的に示している。
【００４７】
露出制御部４５は、取得される画像の輝度が適正になるように調整する露出制御（ＡＥ）を行う。具体的には、Ａ／Ｄ変換部３３から入力される画像から被写体の輝度を導出し、この被写体の輝度に基づいてシャッタスピードおよび絞り値を設定する。デジタルカメラ１においてはシャッタ方式として電子シャッタ方式が採用され、シャッタスピードはＣＣＤ３１の露光時間（電荷蓄積時間）に相当する。したがって、設定されたシャッタスピードはＣＣＤ３１に出力され、ＣＣＤ３１は設定された露光時間だけ露光するように制御される。一方、設定された絞り値はレンズ駆動部３６に出力され、設定された絞り値に相当する開口径となるように撮影レンズ２内の絞りが駆動される。
【００４８】
ＡＦ制御部４６は、画像中の被写体像が合焦状態となるように撮影レンズ２内のレンズ群を移動させるフォーカス制御（ＡＦ）を行う。具体的には、レンズ駆動部３６に信号を送信してレンズ群を駆動させつつ、Ａ／Ｄ変換部３３から入力される画像のコントラストを監視し、コントラストが最も高くなる位置にレンズ群を移動させる。
【００４９】
表示制御部４７は、表示装置（ＥＶＦ２２およびＬＣＤ２４）の表示に関連する制御を行うものであり、表示装置決定機能、信号変換機能および信号調整機能を有している。
【００５０】
表示装置決定機能は、ディスプレイ切り替えレバー１５によって設定されたディスプレイ設定に基づいて表示すべき表示装置（以下、「出力表示装置」という。）を決定し、表示装置の表示／非表示を制御する機能である。ディスプレイ設定が「ＥＶＦモード」に設定された場合はＥＶＦ２２が、「ＬＣＤモード」に設定された場合はＬＣＤ２４がそれぞれ出力表示装置として決定される。また、ディスプレイ設定が「自動切替モード」に設定された場合は、上述した手法により、接眼センサ２１から入力されるユーザ距離に基づいてＥＶＦ２２に対するユーザの接眼／非接眼が判定され、この判定結果に基づいて、いずれの表示装置を出力表示装置とするかが決定される。したがって、ＥＶＦ２２に対するユーザの接眼／非接眼は、接眼センサ２１および表示装置決定機能により検出されることとなる。
【００５１】
信号変換機能は、画像メモリ３５に記憶された表示対象画像（ライブビュー画像等）を、ビデオ信号に変換して出力表示装置に送出する。具体的には、表示装置決定機能により決定された出力表示装置に応じた周期で画像メモリ３５から表示対象画像を読み出し、出力表示装置に応じた方式のビデオ信号に変換して送出する。
【００５２】
信号調整機能は、表示装置の表示特性値を調整する機能である。例えば、出力表示装置がＥＶＦ２２であるときに、ＥＶＦ２２の視認性が向上するように、ＥＶＦ２２の表示の輝度（以下、「表示輝度」という。）を決定するとともに、決定した表示輝度となるようにビデオ信号の調整を行う。ＥＶＦ２２の表示輝度は、環境光の明るさ、ユーザの接眼を検出してからの経過時間（以下、「接眼時間」という。）、および、接眼状態における接眼センサ２１からユーザまでの距離すなわち接眼状態におけるユーザ距離（以下、「接眼距離」という。）に基づいて決定される。この表示輝度の決定手法の詳細については後述する。
【００５３】
＜１−２．表示制御動作＞
次に、ディスプレイ設定が「自動切替モード」に設定されたときにおける、表示制御部４７によってなされる表示制御動作について説明する。図７は、「自動切替モード」における表示制御動作の流れを示す図である。なお、この説明においてデジタルカメラ１の動作状態は、ライブビュー表示を行う撮影待機状態であるものとする。
【００５４】
ディスプレイ設定が「自動切替モード」に設定されると、まず、接眼センサ２１によりユーザ距離の検出が開始される。すなわち、測距用の光の投光、反射光の受光、反射光の受光量に基づくユーザ距離の導出、および、ユーザ距離の全体制御部４への入力が開始される（ステップＳ１）。
【００５５】
次に、接眼センサ２１から入力されるユーザ距離に基づいて、表示装置決定機能によりユーザの接眼／非接眼が検出される（ステップＳ２）。このとき、ユーザの非接眼が検出された場合（ステップＳ２にてＮｏ）は、ＥＶＦ２２が非表示状態とされる一方、ＬＣＤ２４が表示状態とされる（ステップＳ８，Ｓ９）。そして、ユーザの接眼が検出されるまで（ステップＳ１０にてＮｏの間）、ＬＣＤ２４の表示状態が継続される。
【００５６】
一方、ステップＳ２あるいはステップＳ１０にて、ユーザの接眼が検出された場合（それぞれにてＹｅｓ）は、まず、タイマ３７により接眼時間（すなわち、ユーザが接眼してからの経過時間）の計時が開始されるとともに（ステップＳ３）、ＬＣＤ２４が非表示とされる（ステップＳ４）。続いて、ＥＶＦ２２の表示に先立って、まず、ＥＶＦ２２の表示輝度が決定される（ステップＳ５）。そして、決定された表示輝度となるようにＥＶＦ２２の表示輝度の調整（すなわち、ビデオ信号の調整）がなされて、ＥＶＦ２２が表示状態とされる（ステップＳ６）。
【００５７】
ＥＶＦ２２の表示状態はユーザの非接眼が検出されるまで（ステップＳ７にてＹｅｓの間）継続される。このようにＥＶＦ２２の表示状態が継続されている間においては、常時、表示輝度が決定され（ステップＳ５）、決定された表示輝度となるようにＥＶＦ２２の表示輝度の調整がなされることとなる。なお、ステップＳ７においてユーザの非接眼が検出されたときは、ステップＳ８に進みＥＶＦ２２が非表示状態、ＬＣＤ２４が表示状態とされる。
【００５８】
＜１−３．表示輝度の決定手法＞
次に、ステップＳ５におけるＥＶＦ２２の表示輝度の決定手法について説明する。前述したように、ＥＶＦ２２の表示輝度は、環境光の明るさ、接眼時間および接眼距離に基づいて決定される。この具体的な決定手法を説明する前に、まず、環境光の明るさ、接眼時間および接眼距離のそれぞれと、本実施の形態のデジタルカメラ１において調整される表示輝度との関係について説明する。
【００５９】
最初に、環境光の明るさと表示輝度との関係について説明する。デジタルカメラ１では、環境光の明るさとして、所定時間ごとにＣＣＤ３１により取得されるライブビュー表示用の画像に基づいて露出制御部４５により導出される被写体の輝度が用いられる。もちろん、専用の輝度センサ等を設け、この輝度センサによって環境光の明るさを検出するようにしてもよい。
【００６０】
図８は、環境光の明るさと表示輝度との関係を示す図であり、横軸は環境光の明るさ（以下、記号ＬＭを用いる。）を示し、縦軸は表示輝度（以下、記号ＢＲを用いる。）を示している。
【００６１】
一般に、人間の眼は明るいものを視認したとき、明順応と呼ばれる順応現象が生じる。このため、明るい場所から暗い場所に移動すると周囲のものが暗くて見えにくいといった現象が生じる。これと同様に、環境光の明るさＬＭが比較的明るい場合にＥＶＦ２２に接眼すると、ＥＶＦ２２の表示が暗く感じることとなり、眼に負担がかかるとともに視認性が悪化するという場面が生じる。
【００６２】
また逆に、人間の眼は暗いものを視認したとき、暗順応と呼ばれる順応現象が生じる。このため、暗い場所から明るい場所に移動すると周囲のものが眩しくて見えにくいといった現象が生じる。これと同様に、環境光の明るさＬＭが比較的暗い場合にＥＶＦ２２に接眼すると、ＥＶＦ２２の表示が眩しく感じることとなり、眼に負担がかかるとともに視認性が悪化するという場面が生じる。
【００６３】
したがって、デジタルカメラ１では、図８に示すように、環境光の明るさＬＭが明るいほど表示輝度ＢＲも高くし、逆に、環境光の明るさＬＭが暗いほど表示輝度ＢＲも低くするようにしている。これにより、環境光の明るさを原因としてＥＶＦ２２の視認性が悪化することが防止され、ユーザの眼への負担が軽減されるとともに、ＥＶＦ２２の視認性を向上することができることとなる。なお、図において表示輝度ＢＲ０は、表示輝度ＢＲの調整を行わないときのＥＶＦ２２の標準的な表示輝度であり、以下、「標準表示輝度」ＢＲ０という。また、図８において「標準表示輝度」ＢＲ０に対応する環境光の明るさＬＭを、「標準環境輝度」ＬＭ０という。
【００６４】
次に、接眼時間と表示輝度との関係について説明する。図９は、接眼時間と表示輝度との関係を示す図であり、横軸は接眼時間（以下、記号ＴＴを用いる。）を示し、縦軸は表示輝度ＢＲを示している。
【００６５】
ＥＶＦ２２は、標準表示輝度ＢＲ０で表示することがユーザの眼への負担や視認性の上で最も好ましい。このため、ＥＶＦ２２の表示輝度ＢＲを環境光の明るさＬＭに応じて調整した場合であっても、最終的には、標準表示輝度ＢＲ０（の近傍の値）で表示することが好ましい。その一方で、人間の眼の順応は時間経過に伴って徐々になされることとなる。このことから、ＥＶＦ２２の表示輝度ＢＲを突然変化させると、ユーザの眼に負担がかかるとともに視認性が悪化することとなる。
【００６６】
したがって、デジタルカメラ１では、図９に示すように、ユーザの接眼を検出してからの接眼時間ＴＴに応じて、ＥＶＦ２２の表示輝度ＢＲを標準表示輝度ＢＲ０の近傍の特定値まで漸次的に変化させるようにしている。環境光の明るさＬＭが比較的明るいときは、図９の関数ＴＢ１に示すように、ＥＶＦ２２の表示輝度ＢＲは接眼時間ＴＴに応じて漸次的に低下され、環境光の明るさＬＭが比較的暗いときは、図９の関数ＴＢ２に示すように、ＥＶＦ２２の表示輝度ＢＲは接眼時間ＴＴに応じて漸次的に上昇される。
【００６７】
そして、ＥＶＦ２２の表示輝度ＢＲが、標準表示輝度ＢＲ０の近傍の特定値まで変化された後は、表示輝度ＢＲはその特定値に維持される。これにより、表示輝度ＢＲの変化に対してユーザの眼を徐々に慣らすことができ、ユーザの眼への負担が軽減されるとともに、ＥＶＦ２２の視認性を向上することができることとなる。
【００６８】
次に、接眼距離と表示輝度との関係について説明する。図１０は、接眼距離と表示輝度との関係を示す図であり、横軸は接眼距離（以下、記号ＴＤを用いる。
）を示し、縦軸は表示輝度ＢＲを示している。
【００６９】
ＥＶＦ２２に接眼した場合において、ユーザの眼がＥＶＦ２２に対して完全に密着しているときには、環境光がＥＶＦ２２に入射することはない。しかしながら、ユーザが眼鏡等を使用している場合、ＥＶＦ２２とユーザの眼との間には間隔があることから、環境光がＥＶＦ２２に対して入射する。その結果、ＥＶＦ２２の表示が環境光の明るさの影響を受け、その表示に対する明暗の感じ方が変化することとなる。このような環境光の影響は、接眼距離ＴＤが長いほど強くなる。したがって、デジタルカメラ１では、図１０に示すように、接眼距離ＴＤに応じてＥＶＦ２２の表示輝度ＢＲを変化させるようにしている。
【００７０】
具体的には、環境光の明るさＬＭが比較的明るいときには、環境光の影響により表示が暗く感じることから、表示輝度ＢＲを高くすることが好ましい。したがってこのときには、図１０の関数ＤＢ１に示すように、接眼距離ＴＤが長いほど表示輝度ＢＲを高くする。一方、環境光の明るさＬＭが比較的暗いときには、環境光の影響により表示が明るく感じることから、表示輝度ＢＲを低くすることが好ましい。したがってこのときには、図１０の関数ＤＢ２に示すように、接眼距離ＴＤが長いほど表示輝度ＢＲを低くする。このようにすることで、ＥＶＦ２２とユーザの眼との間に間隔があるときにおいても、環境光の明るさの影響が適切に排除され、ＥＶＦ２２の視認性を向上することができることとなる。なお、ユーザ距離が接眼／非接眼の判定に用いられる所定の距離ＴＤＴ以上となって「接眼距離」の定義域をはずれるときには、ＥＶＦ２２は非表示とされるため、表示輝度ＢＲを設定する必要はない。
【００７１】
デジタルカメラ１においては、以上説明したような環境光の明るさＬＭ、接眼時間ＴＴおよび接眼距離ＴＤの３つの要素を総合的に考慮して、実際のＥＶＦ２２の表示輝度ＢＲを決定することとなる。具体的には、ユーザの接眼直後（図７のステップＳ２にてＹｅｓの後）のステップＳ５において、接眼時間ＴＴを変数とした関数が設定され、この関数（以下、「輝度決定関数」という。）に基づいて、表示輝度ＢＲが決定される。
【００７２】
この輝度決定関数は、図９に示す関数ＴＢ１（あるいは関数ＴＢ２）とほぼ同様の関数であり、表示輝度ＢＲの変化前の初期値（図９中の点Ｐ１の表示輝度ＢＲに相当。以下、記号ＢＲ１を用いる。）と、表示輝度ＢＲを変化させる際に目標とする目標値（図９中の点Ｐ２の表示輝度ＢＲに相当。以下、記号ＢＲ２を用いる。）と、表示輝度ＢＲの変化の傾き（図９中の（−）ｔａｎθに相当。以下、記号ＴＧを用いる。）とで規定される。
【００７３】
初期値ＢＲ１は、環境光の明るさＬＭに基づいて決定される。具体的には、図８の関数ＬＢと同様の関数に、環境光の明るさＬＭが代入され、その結果導出される表示輝度ＢＲが初期値ＢＲ１として決定される。したがって、初期値ＢＲ１は、環境光の明るさが明るいほど高く、かつ、環境光の明るさＬＭが標準環境輝度ＬＭ０より大のときは標準表示輝度ＢＲ０より大に、環境光の明るさＬＭが標準環境輝度ＬＭ０より小のときは標準表示輝度ＢＲ０より小になるように決定される。
【００７４】
一方、目標値ＢＲ２は、環境光の明るさＬＭおよび接眼距離ＴＤの双方に基づいて決定される。目標値ＢＲ２を決定するにあたっては、まず、目標値ＢＲ２を決定するための関数（以下、「目標値決定関数」という。）が、接眼距離ＴＤに基づいて求められる。
【００７５】
図１１は、目標値決定関数の例を示す図であり、横軸は環境光の明るさＬＭを示し、縦軸は表示輝度ＢＲ（目標値ＢＲ２）を示している。図１１中の関数ＬＤ０は、接眼距離ＴＤ＝０の（ユーザの眼がＥＶＦ２２に対して密着している）ときの目標値決定関数である。接眼距離ＴＤ＝０のときは、環境光がＥＶＦ２２に対して入射することはないため、環境光の明るさＬＭにかかわらず目標値ＢＲ２が標準表示輝度ＢＲ０となる関数ＬＤ０が、目標値決定関数とされる。一方、接眼距離ＴＤ＞０のときには環境光の明るさの影響を受けることから、接眼距離ＴＤに応じた目標値決定関数が求められる。
【００７６】
具体的には、環境光の明るさＬＭが標準環境輝度ＬＭ０より大のときは目標値ＢＲ２が標準表示輝度ＢＲ０より大、環境光の明るさＬＭが標準環境輝度ＬＭ０より小のときは目標値ＢＲ２が標準表示輝度ＢＲ０より小となり、かつ、接眼距離ＴＤが長いほど目標値ＢＲ２の標準表示輝度ＢＲ０からの乖離度合いが大となるように、図中の角度Ｄθが調整される。ここで角度Ｄθは、求めるべき目標値決定関数と横軸とのなす角度である。図中の関数ＬＤ１は接眼距離ＴＤ＝ＴＤ１（０＜ＴＤ１）のときの目標値決定関数であり、関数ＬＤ２は接眼距離ＴＤ＝ＴＤ２（ＴＤ１＜ＴＤ２≦ＴＤＴ）のときの目標値決定関数である。
【００７７】
このようにして目標値決定関数が求められると、求められた目標値決定関数に対して、環境光の明るさＬＭが代入され、その結果導出される表示輝度ＢＲが目標値ＢＲ２として決定される。これにより、環境光の明るさＬＭが標準環境輝度ＬＭ０より大のときは、接眼距離ＴＤが長いほど高く目標値ＢＲ２が決定され、環境光の明るさＬＭが標準環境輝度ＬＭ０より小のときは、接眼距離ＴＤが長いほど低く目標値ＢＲ２が決定される。
【００７８】
輝度決定関数の表示輝度ＢＲの変化の傾きＴＧは、人間の眼の順応特性に合わせるように決定される。具体的には、まず、決定された初期値と目標値とが比較される。そして、変化によって表示輝度ＢＲが上昇されるときは、表示輝度ＢＲの変化の傾きＴＧが人間の眼の明順応の特性に合わせた傾きに決定される。一方、変化によって表示輝度ＢＲが低下されるときは、表示輝度ＢＲの変化の傾きＴＧが人間の眼の暗順応の特性に合わせた傾きに決定される。このように、表示輝度ＢＲの変化の傾き（すなわち、接眼時間ＴＴに対する表示輝度ＢＲの変化度合い）ＴＧを、人間の眼の順応特性に合わせることで、さらにユーザの眼への負担が軽減され、ＥＶＦ２２の視認性を向上することができることとなる。
【００７９】
＜１−４．輝度決定関数の例＞
次に、上記のようにして設定される輝度決定関数の具体例について説明する。
図１２ないし図１５は輝度決定関数の例である。
【００８０】
図１２は、環境光の明るさＬＭが標準環境輝度ＬＭ０より大、かつ、接眼距離ＴＤ＝０の場合の輝度決定関数の例を示している。環境光の明るさＬＭが標準環境輝度ＬＭ０より大であるため、初期値ＢＲ１は標準表示輝度ＢＲ０より大となっている。また、接眼距離ＴＤ＝０であるため、目標値ＢＲ２は標準表示輝度ＢＲ０と一致されている。
【００８１】
この場合、環境光の明るさＬＭが比較的明るいことから、接眼した直後はユーザはＥＶＦ２２の表示が実際の表示輝度よりも暗く見えるが、初期値ＢＲ１が比較的高く設定されているため、暗く感じることなくＥＶＦ２２を視認することができる。その後、表示輝度ＢＲは目標値ＢＲ２まで漸次的に低下されるため、ユーザは眼をＥＶＦ２２の表示に徐々に慣らすことができる。表示輝度ＢＲが目標値ＢＲ２まで低下した後は、ユーザは標準表示輝度ＢＲ０にて表示されるＥＶＦ２２を視認することとなる。
【００８２】
図１３は、環境光の明るさＬＭが標準環境輝度ＬＭ０より小、かつ、接眼距離ＴＤ＝０の場合の輝度決定関数の例を示している。環境光の明るさＬＭが標準環境輝度ＬＭ０より小であるため、初期値ＢＲ１は標準表示輝度ＢＲ０より小となっている。また、接眼距離ＴＤ＝０であるため、目標値ＢＲ２は標準表示輝度ＢＲ０と一致されている。
【００８３】
この場合、環境光の明るさＬＭが比較的暗いことから、接眼した直後はユーザはＥＶＦ２２の表示が実際の表示輝度よりも眩しく見えるが、初期値ＢＲ１が比較的低く設定されているため、眩しく感じることなくＥＶＦ２２を視認することができる。その後、表示輝度ＢＲが目標値ＢＲ２まで漸次的に上昇されるため、ユーザは眼をＥＶＦ２２の表示に徐々に慣らすことができる。表示輝度ＢＲが目標値ＢＲ２まで上昇した後は、ユーザは標準表示輝度ＢＲ０にて表示されるＥＶＦ２２を視認することとなる。
【００８４】
図１４は、環境光の明るさＬＭが標準環境輝度ＬＭ０より大、かつ、接眼距離ＴＤ＞０の場合の輝度決定関数の例を示している。環境光の明るさＬＭが標準環境輝度ＬＭ０より大であるため、初期値ＢＲ１は標準表示輝度ＢＲ０より大となっている。また、接眼距離ＴＤ＞０であるため、目標値ＢＲ２は標準表示輝度ＢＲ０よりも大となっている。
【００８５】
この場合、環境光の明るさＬＭが比較的明るいことから、接眼した直後はユーザはＥＶＦ２２の表示が実際の表示輝度よりも暗く見えるが、初期値ＢＲ１が比較的高く設定されているため、暗く感じることなくＥＶＦ２２を視認することができる。その後、表示輝度ＢＲが目標値ＢＲ２まで漸次的に低下されるため、ユーザは眼をＥＶＦ２２の表示に徐々に慣らすことができる。また、表示輝度ＢＲが目標値ＢＲ２まで低下した後においては、ＥＶＦ２２とユーザの眼との間には間隔があり、環境光の入射によりＥＶＦ２２の表示が多少暗く感じることとなるが、目標値ＢＲ２は標準表示輝度ＢＲ０よりも大となっているため、環境光の明るさの影響が排除され、ＥＶＦ２２の表示を適切な明るさで視認することができる。
【００８６】
図１５は、環境光の明るさＬＭが標準環境輝度ＬＭ０より小、かつ、接眼距離ＴＤ＞０の場合の輝度決定関数の例を示している。環境光の明るさＬＭが標準環境輝度ＬＭ０より小であるため、初期値ＢＲ１は標準表示輝度ＢＲ０より小となっている。また、接眼距離ＴＤ＞０であるため、目標値ＢＲ２は標準表示輝度ＢＲ０よりも小となっている。
【００８７】
この場合、環境光の明るさＬＭが比較的暗いことから、接眼した直後はユーザはＥＶＦ２２の表示が実際の表示輝度よりも眩しく見えるが、初期値ＢＲ１が比較的低く設定されているため、眩しく感じることなくＥＶＦ２２を視認することができる。その後、表示輝度ＢＲが目標値ＢＲ２まで漸次的に上昇されるため、ユーザは眼をＥＶＦ２２の表示に徐々に慣らすことができる。また、表示輝度ＢＲが目標値ＢＲ２まで上昇した後においては、ＥＶＦ２２とユーザの眼との間には間隔があり、環境光の入射によりＥＶＦ２２の表示が多少明るく感じることとなるが、目標値ＢＲ２は標準表示輝度ＢＲ０よりも小となっているため、環境光の明るさの影響が排除され、ＥＶＦ２２の表示を適切な明るさで視認することができることとなる。
【００８８】
以上、第１の実施の形態について説明を行ったが、デジタルカメラ１では、ユーザの接眼時間に応じてＥＶＦ２２の表示輝度を漸次的に変化させるため、ＥＶＦ２２の表示に対してユーザの眼を徐々に慣らすことができる。したがって、ユーザの眼への負担を少なくすることができるとともに、ＥＶＦ２２の視認性を向上することができる。
【００８９】
また、ＥＶＦ２２に対してユーザが接眼した直後は、ユーザの眼は環境光に順応していたため、環境光の明るさの影響が残っているが、環境光の明るさに基づいて表示輝度の初期値を決定するため、ユーザが接眼した直後から環境光の影響を適切に排除することができ、ＥＶＦ２２の視認性を向上することができる。
【００９０】
また、ＥＶＦ２２に接眼した後における接眼距離が大となるほど、ＥＶＦ２２の表示は環境光の影響を受けることとなるが、環境光の明るさおよび接眼距離の双方に基づいて表示輝度の目標値を決定するため、表示輝度の変化後においても環境光の影響を適切に排除することができ、ＥＶＦ２２の視認性を向上することができる。
【００９１】
＜２．第２の実施の形態＞
次に、本発明の第２の実施の形態について説明する。本実施の形態のデジタルカメラ１の構成は、図１ないし図４および図６に示すものと同様であり、表示制御動作の流れも図７に示すものとほぼ同様である。ただし、第１の実施の形態においては、環境光の明るさＬＭのみに基づいて初期値ＢＲ１を決定していたが、本実施の形態においては、ユーザがＥＶＦ２２に対して接眼していない時間（すなわち、ユーザの非接眼を検出してからの経過時間。以下、「非接眼時間」といい、記号ＮＴを用いる。）をさらに考慮して初期値ＢＲ１を決定する。
【００９２】
ユーザの眼は、ＥＶＦ２２に接眼しているときはＥＶＦ２２の表示輝度ＢＲに対して順応するが、ＥＶＦ２２に接眼していないときは環境光の明るさＬＭに対して順応する。そして、非接眼時間ＮＴが長いほど環境光の明るさＬＭへの順応度合いは高くなり、非接眼時間ＮＴが短いほど環境光の明るさＬＭへの順応度合いは低くなる。例えば、ＥＶＦ２２に接眼していたときにおいて、一旦ＥＶＦ２２から眼を離して被写体を肉眼で確認し、再度ＥＶＦ２２に接眼した場合のように、非接眼時間ＮＴが比較的短いときには、ユーザの眼が環境光に対してあまり順応していないといえる。本実施の形態においては、初期値ＢＲ１を決定する際において、このような非接眼時間ＮＴを考慮するようにしている。なお、非接眼時間ＮＴは、図７のステップＳ８の直前に、タイマ３７により計時を開始して取得するようにすればよい。
【００９３】
初期値ＢＲ１を決定するにあたっては、まず、初期値ＢＲ１を決定するための関数（以下、「初期値決定関数」という。）が、非接眼時間ＮＴに基づいて求められる。
【００９４】
図１６は、初期値決定関数の例を示す図であり、横軸は環境光の明るさＬＭを示し、縦軸は表示輝度ＢＲ（初期値ＢＲ１）を示している。非接眼時間ＮＴが長いほど、環境光の明るさＬＭへの順応度合いは高くなることから、この非接眼時間ＮＴに応じた初期値決定関数が求められることとなる。
【００９５】
具体的には、環境光の明るさＬＭが標準環境輝度ＬＭ０より大のときは初期値ＢＲ１が標準表示輝度ＢＲ０より大、環境光の明るさＬＭが標準環境輝度ＬＭ０より小のときは初期値ＢＲ１が標準表示輝度ＢＲ０より小となり、かつ、非接眼時間ＮＴが長いほど初期値ＢＲ１の標準表示輝度ＢＲ０からの乖離度合いが大となるように、図中の角度Ｎθが調整される。ここで角度Ｎθは、求めるべき初期値決定関数と横軸とのなす角度である。
【００９６】
図１６中の関数ＬＴ１は非接眼時間ＮＴ＝ＮＴ１（０＜ＮＴ１）のときの初期値決定関数であり、関数ＬＴ２は非接眼時間ＮＴ＝ＮＴ２（ＮＴ１＜ＮＴ２＜ＮＴ３）のときの初期値決定関数である。また、人間の眼が環境光の明るさＬＭに完全に順応したときには、初期値ＢＲ１をある値以上変化させる必要はないため、非接眼時間ＮＴが環境光の明るさＬＭへの順応に十分な時間（本実施の形態では、時間ＮＴ３）以上のときには、所定の関数ＬＴ３が初期値決定関数とされる。
【００９７】
このようにして初期値決定関数が求められると、求められた初期値決定関数に対して、環境光の明るさＬＭが代入され、その結果導出される表示輝度ＢＲが初期値ＢＲ１として決定される。これにより、環境光の明るさＬＭが標準環境輝度ＬＭ０より大のときは、非接眼時間ＮＴが長いほど高く初期値ＢＲ１が決定され、環境光の明るさＬＭが標準環境輝度ＬＭ０より小のときは、非接眼時間ＮＴが長いほど低く初期値ＢＲ１が決定される。
【００９８】
図１７は、ユーザがＥＶＦ２２に対して接眼と非接眼とを繰り返したときにおけるＥＶＦ２２の表示輝度ＢＲの時間的な変化の例を示す図である。横軸は時間を示している。以下、図１７を参照して、本実施の形態のＥＶＦ２２の表示輝度ＢＲの時間的な変化について説明する。なお、この説明においては、環境光の明るさＬＭは標準環境輝度ＬＭ０より大であり、接眼時における接眼距離ＴＤ＝０であるものとする。また、時点Ｔ０においては、ユーザは既にＥＶＦ２２に接眼しており、ＥＶＦ２２の表示輝度ＢＲは標準表示輝度ＢＲ０を維持されているものとする。
【００９９】
時点Ｔ１において、ユーザの非接眼が検出されると、非接眼時間ＮＴの計時が開始されるとともにＥＶＦ２２が非表示とされる。そして、時間ＢＴ１の経過後、時点Ｔ２においてユーザの接眼が検出されると、非接眼時間ＮＴ（すなわち、時間ＢＴ１）に基づいて初期値ＢＲ１が値Ｂ１に決定され、表示輝度ＢＲ＝Ｂ１にてＥＶＦ２２が表示される。表示後においては、ＥＶＦ２２の表示輝度ＢＲは目標値ＢＲ２（標準表示輝度ＢＲ０）まで漸次的に変化され（時点Ｔ３）、その後、表示輝度ＢＲが標準表示輝度ＢＲ０に維持される。
【０１００】
時点Ｔ４において、再度ユーザの非接眼が検出されると、時点Ｔ１と同様に、非接眼時間ＮＴの計時が開始され、ＥＶＦ２２が非表示とされる。そして、時間ＢＴ２の経過後、時点Ｔ５においてユーザの接眼が検出されると、非接眼時間ＮＴ（すなわち、時間ＢＴ２）に基づいて初期値ＢＲ１が値Ｂ２に決定され、表示輝度ＢＲ＝Ｂ２にてＥＶＦ２２が表示される。このとき、時間ＢＴ２＞時間ＢＴ１であることから、値Ｂ２＞値Ｂ１となる。表示後においては、上記と同様に、ＥＶＦ２２の表示輝度ＢＲは目標値ＢＲ２（標準表示輝度ＢＲ０）まで漸次的に変化され（時点Ｔ６）、その後、表示輝度ＢＲが標準表示輝度ＢＲ０に維持される。
【０１０１】
さらに時点Ｔ７において、ユーザの非接眼が検出されると、時点Ｔ１と同様に、非接眼時間ＮＴの計時が開始され、ＥＶＦ２２が非表示とされる。そして、時間ＢＴ３の経過後、時点Ｔ８においてユーザの接眼が検出されると、非接眼時間ＮＴ（すなわち、時間ＢＴ３）に基づいて初期値ＢＲ１が値Ｂ３に決定され、表示輝度ＢＲ＝Ｂ３にてＥＶＦ２２が表示される。このとき、時間ＢＴ３＞時間ＢＴ２であることから、値Ｂ３＞値Ｂ２となる。なお、時間ＢＴ３が、環境光の明るさＬＭへの順応に十分な時間ＮＴ３以上であるとすると、非接眼時間ＮＴがさらに長いときでも、ＥＶＦ２２の初期値ＢＲ１は値Ｂ３とされることとなる。
【０１０２】
以上、第２の実施の形態について説明を行ったが、本実施の形態のデジタルカメラ１では、環境光の特性および非接眼時間に基づいて表示輝度の初期値を決定するため、ユーザが接眼した直後から環境光の特性の影響をさらに適切に排除することができ、ＥＶＦ２２の視認性を向上することができる。
【０１０３】
＜３．第３の実施の形態＞
次に、本発明の第３の実施の形態について説明する。上記実施の形態においては、ＥＶＦ２２の表示輝度を変化させるようにしていたが、表示におけるコントラスト（表示における高輝度と低輝度との差）を変化させるようにしてもよい。
【０１０４】
一般に人間の眼は、明順応したときは明暗の変化に対して鈍感となる。したがって、環境光の明るさＬＭが明るい場合にＥＶＦ２２に接眼すると、ＥＶＦ２２の表示のコントラストが低く感じることとなり、眼に負担がかかるとともに視認性が悪化するという場面が生じる。また逆に、人間の眼は、暗順応したときは明暗の変化に対して敏感となる。したがって、環境光の明るさＬＭが暗い場合にＥＶＦ２２に接眼すると、ＥＶＦ２２の表示のコントラストが低く感じることとなり、眼に負担がかかるとともに視認性が悪化するという場面が生じる。このようなことから、コントラストを調整することでも視認性を向上することができる。
【０１０５】
コントラストの調整は、上記実施の形態における表示輝度ＢＲの調整と同様に、表示制御部４７の信号調整機能によるビデオ信号の調整によって行うことができる。また、コントラストの変化手法は、表示輝度ＢＲの変化手法と同様の手法を採用すればよい。すなわち、上記実施の形態において表示輝度ＢＲを高くするとした場合はコントラストを高くし、表示輝度ＢＲを低くするとした場合はコントラストを低くする。このようにコントラストを調整することによっても、ユーザの眼への負担を少なくすることができるとともに、ＥＶＦ２２の視認性を向上することができる。
【０１０６】
＜４．第４の実施の形態＞
次に、本発明の第４の実施の形態について説明する。上記実施の形態においては、環境光の明るさに応じて表示輝度あるいはコントラストを変化させるようにしていたが、本実施の形態のデジタルカメラ１においては、環境光の色合いに応じてＥＶＦ２２の表示の色温度（表示の色合い）を変化させるようにしている。
本実施の形態のデジタルカメラ１の構成は、図１ないし図４および図６に示すものと同様であり、表示制御動作の流れも図７に示すものとほぼ同様である。ただし、ステップＳ５においては、ＥＶＦ２２の表示輝度ではなく表示の色温度を決定する。
【０１０７】
一般に、人間の眼は視認対象物の色に対して順応する色順応と呼ばれる性質を有している。例えば、視認対象物の色が青色のときには、人間の眼の青色に対する感受性が低下し、視認対象物の色が赤色のときには、人間の眼の赤色に対する感受性が低下する。したがって、環境光の色合いが青色に偏っている（環境光の色温度が高い）場合にＥＶＦ２２に接眼すると、ＥＶＦ２２の表示が赤みがかって（表示の色温度が低く）見えることとなり、実際の表示の色合いを認識できず視認性が悪化するという場面が生じる。また逆に、環境光の色合いが赤色に偏っている（環境光の色温度が低い）場合にＥＶＦ２２に接眼すると、ＥＶＦ２２の表示が青みがかって（表示の色温度が高く）見えることとなり、実際の表示の色合いを認識できず視認性が悪化するという場面が生じる。このようなことから、環境光の色合いに応じてＥＶＦ２２の表示の色温度（以下、「表示色温度」といい、記号ＤＣを用いる。）を調整することで、ＥＶＦ２２の視認性を向上することができることとなる。
【０１０８】
本実施の形態のデジタルカメラ１では、環境光の色合いとして、ホワイトバランス補正のために求められる環境光の色温度（以下、「環境色温度」といい、記号ＥＣを用いる。）が用いられる。もちろん、専用の測色センサ等を設け、この測色センサ等によって環境色温度を検出するようにしてもよい。
【０１０９】
表示色温度ＤＣの調整は、上記実施の形態における表示輝度ＢＲの調整と同様に、表示制御部４７の信号調整機能によるビデオ信号の調整によって行うことができる。また、表示色温度ＤＣは、上記実施の形態の表示輝度ＢＲの変化手法とほぼ同様に、接眼時間ＴＴを変数とした関数が設定され、この関数（以下、「色温度決定関数」という。）に基づいて決定される。この色温度決定関数も、表示色温度ＤＣの変化前の初期値（以下、記号ＤＣ１を用いる。）と、表示色温度ＤＣを変化させる際に目標とする目標値（以下、記号ＤＣ２を用いる。）と、表示色温度ＤＣの変化の傾き（以下、記号ＣＧを用いる。）とで規定される。
【０１１０】
初期値ＤＣ１は、環境色温度ＥＣに基づいて決定される。図１８は、表示色温度ＤＣの初期値ＤＣ１を決定するための関数の例を示す図であり、横軸は環境色温度ＥＣを示し、縦軸は表示色温度ＤＣ（初期値ＤＣ１）を示している。前述したように、環境色温度ＥＣが高い場合にＥＶＦ２２に接眼した直後は表示色温度ＤＣは低く見え、環境色温度ＥＣが低い場合にＥＶＦ２２に接眼した直後は表示色温度ＤＣは高く見える。このため、図１８に示すように、表示色温度ＤＣの初期値ＤＣ１は、環境色温度ＥＣが高いほど高くなるように決定される。なお、図において表示色温度ＤＣ０は、表示色温度ＤＣの調整を行わないときのＥＶＦ２２の標準的な表示色温度であり、以下、「標準表示色温度」ＤＣ０という。また、図１８において「標準表示色温度」ＤＣ０に対応する環境色温度ＥＣを、「標準環境色温度」ＥＣ０という。
【０１１１】
一方、目標値ＤＣ２は、環境色温度ＥＣおよび接眼距離ＴＤの双方に基づいて決定される。目標値ＤＣ２を決定するにあたっては、まず、目標値ＤＣ２を決定するための目標値決定関数が、接眼距離ＴＤに基づいて求められる。
【０１１２】
図１９は、目標値決定関数の例を示す図であり、横軸は環境色温度ＥＣを示し、縦軸は表示色温度ＤＣ（目標値ＤＣ２）を示している。図１９中の関数ＥＤ０は、接眼距離ＴＤ＝０のときの目標値決定関数である。接眼距離ＴＤ＝０のときは、環境光がＥＶＦ２２に対して入射することはないため、環境色温度ＥＣにかかわらず目標値ＤＣ２が標準表示色温度ＤＣ０となる関数ＥＤ０が、目標値決定関数とされる。
【０１１３】
一方、接眼距離ＴＤ＞０のときには、環境光がＥＶＦ２２に対して入射し、ＥＶＦ２２の表示が環境光の色合いの影響を受け、その表示に対して環境光の色合いが重畳されることとなる。したがって、初期値ＤＣ１を決定したときとは逆に、重畳される色合いを排除するように、環境色温度ＥＣが比較的高い場合は表示色温度ＤＣを低く、環境色温度ＥＣが比較的低い場合は表示色温度ＤＣを高くすることが好ましいこととなる。したがって、接眼距離ＴＤ＞０のときには、このような環境光の影響を考慮し、接眼距離ＴＤに応じた目標値決定関数が求められる。
【０１１４】
具体的には、環境色温度ＥＣが標準環境色温度ＥＣ０より大のときは目標値ＤＣ２が標準表示色温度ＤＣ０より小、環境色温度ＥＣが標準環境色温度ＥＣ０より小のときは目標値ＤＣ２が標準表示色温度ＤＣ０より大となり、かつ、接眼距離ＴＤが長いほど目標値ＤＣ２の標準表示色温度ＤＣ０からの乖離度合いが大となるように、図中の角度Ｅθが調整される。ここで角度Ｅθは、求めるべき目標値決定関数と横軸とのなす角度である。図中の関数ＥＤ１は接眼距離ＴＤ＝ＴＤ１（０＜ＴＤ１）のときの目標値決定関数であり、関数ＥＤ２は接眼距離ＴＤ＝ＴＤ２（ＴＤ１＜ＴＤ２≦ＴＤＴ）のときの目標値決定関数である。
【０１１５】
このようにして目標値決定関数が求められると、求められた目標値決定関数に対して、環境色温度ＥＣが代入され、その結果導出される表示色温度ＤＣが目標値ＤＣ２として決定される。これにより、環境色温度ＥＣが標準環境色温度ＥＣ０より大のときは、接眼距離ＴＤが長いほど低く目標値ＤＣ２が決定され、環境色温度ＥＣが標準環境色温度ＥＣ０より小のときは、接眼距離ＴＤが長いほど高く目標値ＤＣ２が決定される。
【０１１６】
また、色温度決定関数の表示色温度ＤＣの変化の傾きＣＧは、人間の眼の色合いに対する順応特性に合わせるように決定される。
【０１１７】
次に、上記のようにして設定される色温度決定関数の具体例について説明する。図２０ないし図２３は色温度決定関数の例である。
【０１１８】
図２０は、環境色温度ＥＣが標準環境色温度ＥＣ０より大、かつ、接眼距離ＴＤ＝０の場合の色温度決定関数の例を示している。環境色温度ＥＣが標準環境色温度ＥＣ０より大であるため、初期値ＤＣ１は標準表示色温度ＤＣ０より大となっている。また、接眼距離ＴＤ＝０であるため、目標値ＤＣ２は標準表示色温度ＤＣ０と一致されている。
【０１１９】
この場合、環境色温度ＥＣが比較的高いことから、接眼した直後はユーザはＥＶＦ２２の表示が実際の表示色温度よりも低く（赤みがかって）見えるが、初期値ＤＣ１が比較的高く設定されているため、赤みを感じることなくＥＶＦ２２を視認することができる。その後、表示色温度ＤＣは目標値ＤＣ２まで漸次的に低下されるため、ユーザは眼をＥＶＦ２２の表示に徐々に慣らすことができる。表示色温度ＤＣが目標値ＤＣ２まで低下した後は、ユーザは標準表示色温度ＤＣ０にて表示されるＥＶＦ２２を視認することとなる。
【０１２０】
図２１は、環境色温度ＥＣが標準環境色温度ＥＣ０より小、かつ、接眼距離ＴＤ＝０の場合の色温度決定関数の例を示している。環境色温度ＥＣが標準環境色温度ＥＣ０より小であるため、初期値ＤＣ１は標準表示色温度ＤＣ０より小となっている。また、接眼距離ＴＤ＝０であるため、目標値ＤＣ２は標準表示色温度ＤＣ０と一致されている。
【０１２１】
この場合、環境色温度ＥＣが比較的低いことから、接眼した直後はユーザはＥＶＦ２２の表示が実際の表示色温度よりも高く（青みがかって）見えるが、初期値ＤＣ１が比較的低く設定されているため、青みを感じることなくＥＶＦ２２を視認することができる。その後、表示色温度ＤＣは目標値ＤＣ２まで漸次的に上昇されるため、ユーザは眼をＥＶＦ２２の表示に徐々に慣らすことができる。表示色温度ＤＣが目標値ＤＣ２まで上昇した後は、ユーザは標準表示色温度ＤＣ０にて表示されるＥＶＦ２２を視認することとなる。
【０１２２】
図２２は、環境色温度ＥＣが標準環境色温度ＥＣ０より大、かつ、接眼距離ＴＤ＞０の場合の色温度決定関数の例を示している。環境色温度ＥＣが標準環境色温度ＥＣ０より大であるため、初期値ＤＣ１は標準表示色温度ＤＣ０より大となっている。また、接眼距離ＴＤ＞０であるため、目標値ＤＣ２は標準表示色温度ＤＣ０よりも小となっている。
【０１２３】
この場合、環境色温度ＥＣが比較的高いことから、接眼した直後はユーザはＥＶＦ２２の表示が実際の表示色温度よりも低く（赤みがかって）見えるが、初期値ＤＣ１が比較的高く設定されているため、赤みを感じることなくＥＶＦ２２を視認することができる。その後、表示色温度ＤＣは目標値ＤＣ２まで漸次的に低下されるため、ユーザは眼をＥＶＦ２２の表示に徐々に慣らすことができる。また、表示色温度ＤＣが目標値ＤＣ２まで低下した後においては、ＥＶＦ２２とユーザの眼との間には間隔があり、環境光の入射によりＥＶＦ２２の表示が多少青みがかって感じることとなるが、目標値ＤＣ２は標準表示色温度ＤＣ０よりも小となっているため、環境光の色合いの影響が排除され、ＥＶＦ２２の表示を適切な色合いで視認することができる。
【０１２４】
図２３は、環境色温度ＥＣが標準環境色温度ＥＣ０より小、かつ、接眼距離ＴＤ＞０の場合の色温度決定関数の例を示している。環境色温度ＥＣが標準環境色温度ＥＣ０より小であるため、初期値ＤＣ１は標準表示色温度ＤＣ０より小となっている。また、接眼距離ＴＤ＞０であるため、目標値ＤＣ２は標準表示色温度ＤＣ０よりも大となっている。
【０１２５】
この場合、環境色温度ＥＣが比較的低いことから、接眼した直後はユーザはＥＶＦ２２の表示が実際の表示色温度よりも高く（青みがかって）見えるが、初期値ＤＣ１が比較的低く設定されているため、青みを感じることなくＥＶＦ２２を視認することができる。その後、表示色温度ＤＣは目標値ＤＣ２まで漸次的に上昇されるため、ユーザは眼をＥＶＦ２２の表示に徐々に慣らすことができる。また、表示色温度ＤＣが目標値ＤＣ２まで上昇した後においては、ＥＶＦ２２とユーザの眼との間には間隔があり、環境光の入射によりＥＶＦ２２の表示が多少赤みがかって感じることとなるが、目標値ＤＣ２は標準表示色温度ＤＣ０よりも大となっているため、環境光の色合いの影響が排除され、ＥＶＦ２２の表示を適切な色合いで視認することができる。
【０１２６】
以上、第４の実施の形態について説明を行ったが、本実施の形態のデジタルカメラ１では、ＥＶＦ２２の表示色温度が、環境色温度、接眼時間および接眼距離に基づいて決定されるため、人間の眼の色合いへの順応現象に対応した表示を行うことができ、ＥＶＦ２２の視認性を向上することができる。
【０１２７】
＜５．変形例＞
以上、本発明の実施の形態について説明してきたが、この発明は上記実施の形態に限定されるものではなく様々な変形が可能である。
【０１２８】
上記実施の形態においては、表示輝度、コントラストおよび表示色温度のいずれかのＥＶＦ２２の表示特性値を変化させるものとして説明を行ったが、このうち全ての表示特性値を変化させてもよく、いずれか２つの表示特性値を変化させるようにしてもよい。
【０１２９】
また、上記実施の形態においては、ユーザの接眼／非接眼に応じて、ＥＶＦ２２の表示／非表示が切り替わる場合について説明を行ったが、ユーザの接眼／非接眼にかかわらずＥＶＦ２２が常時表示される場合においても、上記実施の形態と同様に表示特性値の調整を行うようにしてもよい。
【０１３０】
また、上記実施の形態においてデジタルカメラ１は、接眼距離（一般には、ユーザ距離）の検出に、測距用の光を投光しその反射光の受光量からユーザの距離を検出するセンサを用いていたが、三角測量方式やタイムオブフライト方式など他の測距方式を採用したセンサを用いてもよい。
【０１３１】
また、上記第２の実施の形態においては、ユーザの非接眼が検出された時点の表示輝度ＢＲをさらに考慮して、表示輝度ＢＲの初期値ＢＲ１を決定するようにしてもよい。
【０１３２】
また、上記第３の実施の形態においては、第２の実施の形態と同様に、非接眼時間をさらに考慮して、表示色温度ＤＣの初期値ＤＣ１を決定するようにしてもよい。
【０１３３】
また、上記実施の形態においては、静止画が主に撮影対象となるデジタルカメラ１について説明をおこなったが、これに限定されるものではなく、動画を撮影できるビデオカメラ等であってもよい。すなわち、撮影対象が静止画および動画のいずれの撮像装置であっても、本発明に係る技術を適用することが可能である。
【０１３４】
また、上記実施の形態では、ＣＰＵがプログラムに従って演算処理を行うことにより各種機能が実現されると説明したが、これら機能の全部または一部は専用の電気的回路により実現されてもよい。
【０１３５】
◎なお、上述した具体的実施の形態には以下の構成を有する発明が含まれている。
【０１３６】
（１）　請求項２または３に記載の撮像装置において、
前記接眼検出手段が前記ユーザの非接眼を検出してからの経過時間として非接眼時間を計時する非接眼計時手段、
をさらに備え、
前記表示制御手段は、前記環境光の特性および前記非接眼時間に基づいて、前記初期値を決定することを特徴とする撮像装置。
【０１３７】
これによれば、非接触時間に応じてユーザの眼は環境光の特性に順応していき環境光の特性の影響を受けることとなるが、環境光の特性および非接眼時間に基づいて表示特性値の初期値を決定するため、ユーザが接眼した直後から環境光の特性の影響をさらに適切に排除することができ、電子ビューファインダの視認性を向上することができる。
【０１３８】
（２）　請求項２または５に記載の撮像装置において、
前記環境光の特性は、前記環境光の明るさを含み、
前記表示特性値は、輝度を含むことを特徴とする撮像装置。
【０１３９】
これによれば、人間の眼の明るさへの順応現象に対応した表示を行うことができ、電子ビューファインダの視認性を向上することができる。
【０１４０】
（３）　請求項２または５に記載の撮像装置において、
前記環境光の特性は、前記環境光の明るさを含み、
前記表示特性値は、コントラストを含むことを特徴とする撮像装置。
【０１４１】
これによれば、人間の眼の明るさへの順応現象に対応した表示を行うことができ、電子ビューファインダの視認性を向上することができる。
【０１４２】
（４）　請求項２または５に記載の撮像装置において、
前記環境光の特性は、前記環境光の色合いを含み、
前記表示特性値は、色合いを含むことを特徴とする撮像装置。
【０１４３】
これによれば、人間の眼の色合いへの順応現象に対応した表示を行うことができ、電子ビューファインダの視認性を向上することができる。
【０１４４】
【発明の効果】
以上、説明したように、請求項１の発明によれば、ユーザの接眼時間に応じて電子ビューファインダの表示特性値を漸次的に変化させるため、電子ビューファインダの表示に対してユーザの眼を徐々に慣らすことができる。したがって、ユーザの眼への負担を少なくすることができるとともに、電子ビューファインダの視認性を向上することができる。
【０１４５】
また、請求項２の発明によれば、電子ビューファインダに対してユーザが接眼した直後は、ユーザの眼は環境光の特性に順応していたため環境光の特性の影響が残っているが、環境光の特性に基づいて表示特性値の初期値を決定するため、ユーザが接眼した直後から環境光の特性の影響を適切に排除することができ、電子ビューファインダの視認性を向上することができる。
【０１４６】
また、請求項３の発明によれば、電子ビューファインダを視認するとき接眼距離が大となるほど、電子ビューファインダの表示は環境光の特性の影響を受けることとなるが、環境光の特性および接眼距離に基づいて表示特性値の目標値を決定するため、表示特性値が変化された後においても環境光の特性の影響を適切に排除することができ、電子ビューファインダの視認性を向上することができる。
【０１４７】
また、請求項４の発明によれば、電子ビューファインダを視認するとき接眼距離が大となるほど視認性は悪化するが、接眼距離に基づいて表示特性値を決定するため、電子ビューファインダの視認性を向上することができる。
【０１４８】
また、請求項５の発明によれば、電子ビューファインダを視認するとき接眼距離が大となるほどユーザの眼は環境光の特性の影響を受けることとなるが、環境光の特性および接眼距離に基づいて表示特性値を決定するため、環境光の特性の影響を適切に排除することができ、電子ビューファインダの視認性を向上することができる。
【図面の簡単な説明】
【図１】デジタルカメラの外観構成を示す正面図である。
【図２】デジタルカメラの外観構成を示す背面図である。
【図３】ＥＶＦの構成を示す概略図である。
【図４】接眼センサの構成を示す概略図である。
【図５】ユーザの距離と受光量との関係を示す図である。
【図６】デジタルカメラの内部構成を機能ブロックとして示す図である。
【図７】表示制御動作の流れを示す図である。
【図８】環境光の明るさと表示輝度との関係を示す図である。
【図９】接眼時間と表示輝度との関係を示す図である。
【図１０】接眼距離と表示輝度との関係を示す図である。
【図１１】第１の実施の形態における目標値を決定するための関数の例を示す図である。
【図１２】輝度決定関数の例を示す図である。
【図１３】輝度決定関数の例を示す図である。
【図１４】輝度決定関数の例を示す図である。
【図１５】輝度決定関数の例を示す図である。
【図１６】第２の実施の形態における初期値を決定するための関数の例を示す図である。
【図１７】表示輝度の時間的な変化の例を示す図である。
【図１８】第４の実施の形態における初期値を決定するための関数の例を示す図である。
【図１９】第４の実施の形態における目標値を決定するための関数の例を示す図である。
【図２０】色温度決定関数の例を示す図である。
【図２１】色温度決定関数の例を示す図である。
【図２２】色温度決定関数の例を示す図である。
【図２３】色温度決定関数の例を示す図である。
【符号の説明】
１　　　デジタルカメラ
２　　　撮影レンズ
４　　　全体制御部
８　　　ユーザ
２１　　　接眼センサ
２２　　　ＥＶＦ
２３　　　ファインダユニット
４１　　　ＣＣＤ
４７　　　表示制御部
【図１】
2004140736.tif 000003
【図２】
2004140736.tif 000004
【図３】
2004140736.tif 000005
【図４】
2004140736.tif 000006
【図５】
2004140736.tif 000007
【図６】
2004140736.tif 000008
【図７】
2004140736.tif 000009
【図８】
2004140736.tif 000010
【図９】
2004140736.tif 000011
【図１０】
2004140736.tif 000012
【図１１】
2004140736.tif 000013
【図１２】
2004140736.tif 000014
【図１３】
2004140736.tif 000015
【図１４】
2004140736.tif 000016
【図１５】
2004140736.tif 000017
【図１６】
2004140736.tif 000018
【図１７】
2004140736.tif 000019
【図１８】
2004140736.tif 000020
【図１９】
2004140736.tif 000021
【図２０】
2004140736.tif 000022
【図２１】
2004140736.tif 000023
【図２２】
2004140736.tif 000024
【図２３】
2004140736.tif 000025